(57)【要約】【課題】電子機器の防水構造を実現する。【解決手段】電子機器では、電子機器の前面に位置する表示部と、表示部を収納し、その側面に第１貫通孔を有する本体シャーシと、本体シャーシ内に位置し、第１貫通孔と対向する第１スイッチと、電子機器の側面から露出し、第１スイッチを押圧するための第１操作ボタンと、第１スイッチと第１操作ボタンとの間に存在する部分を有し、第１貫通穴の一方の開口を塞ぐ第１防水部材とを備える。【選択図】図２
2016181525.tif 000002
【特許請求の範囲】
【請求項１】
電子機器であって、
前記電子機器の前面に位置する表示部と、
前記表示部を収納し、その側面に第１貫通孔を有する本体シャーシと、
前記本体シャーシ内に位置し、前記第１貫通孔と対向する第１スイッチと、
前記電子機器の側面から露出し、前記第１スイッチを押圧するための第１操作ボタンと、
前記第１スイッチと前記第１操作ボタンとの間に存在する部分を有し、前記第１貫通穴の一方の開口を塞ぐ第１防水部材と
を備える、電子機器。
【請求項２】
請求項１に記載の電子機器であって、
前記第１貫通孔は、前記本体シャーシの上側の側面に位置し、
前記第１操作ボタンは、前記電子機器の上側の側面から露出する、電子機器。
【請求項３】
請求項２に記載の電子機器であって、
前記本体シャーシは、当該本体シャーシの前記上側の側面に第２貫通穴を有し、
前記本体シャーシ内に位置し、前記第２貫通孔と対向する第２スイッチと、
前記電子機器の前記上側の側面から露出し、前記第２スイッチを押圧するための第２操作ボタンと、
前記第２スイッチと前記第２操作ボタンとの間に存在する部分を有し、前記第２貫通穴の一方の開口を塞ぐ第２防水部材と
をさらに備える、電子機器。
【請求項４】
請求項１乃至請求項３のいずれか一つに記載の電子機器であって、
前記本体シャーシの背面を覆う背面側カバーをさらに備える、電子機器。
【請求項５】
請求項４に記載の電子機器であって、
前記背面側カバーは、単一の部材であって、
前記背面側カバーは、前記本体シャーシの前記背面の全周囲に沿って連続的に存在する部分を有する、電子機器。
【請求項６】
請求項５に記載の電子機器であって、
前記第１操作ボタンは、その周縁に、前記背面側カバーが係止するリブを有する、電子機器。
【請求項７】
請求項１乃至請求項６のいずれか一つに記載の電子機器であって、
前記本体シャーシは、前面側シャーシ及び背面側シャーシを備える、電子機器。
【請求項８】
請求項１乃至請求項７のいずれか一つに記載の電子機器であって、
前記本体シャーシの前面を覆う前面側カバーをさらに備える、電子機器。
【請求項９】
請求項８に記載の電子機器であって、
前記前面側カバーは、前記本体シャーシの前面の上側縁に沿って連続的に存在する部分を有する、電子機器。
【請求項１０】
請求項１乃至請求項９のいずれか一つに記載の電子機器であって、
前記第１操作ボタンが操作されていない状態で、前記第１スイッチには、前記第１防水部材が圧接されている、電子機器。
【発明の詳細な説明】
【技術分野】
【０００１】
本発明は、電子機器に関するものである。
【背景技術】
【０００２】
従来より種々の電子機器が提案されている（特許文献１、２）。
【先行技術文献】
【特許文献】
【０００３】
【特許文献１】特開２００１−２２２９２７号公報
【特許文献２】特開２００９−５４４３０号公報
【発明の概要】
【発明が解決しようとする課題】
【０００４】
本発明の目的は、電子機器の防水構造を実現することである。
【課題を解決するための手段】
【０００５】
電子機器の一態様は、前記電子機器の前面に位置する表示部と、前記表示部を収納し、その側面に第１貫通孔を有する本体シャーシと、前記本体シャーシ内に位置し、前記第１貫通孔と対向する第１スイッチと、前記電子機器の側面から露出し、前記第１スイッチを押圧するための第１操作ボタンと、前記第１スイッチと前記第１操作ボタンとの間に存在する部分を有し、前記第１貫通穴の一方の開口を塞ぐ第１防水部材とを備える。
【発明の効果】
【０００６】
電子機器の防水構造を実現することができる。
【図面の簡単な説明】
【０００７】
【図１】図１は、本発明の一実施態様である情報端末機の表面を示す斜視図である。
【図２】図２は、該情報端末機の背面を示す斜視図である。
【図３】図３は、該情報端末機の表面側の構成を表わす分解斜視図である。
【図４】図４は、該情報端末機の背面側の構成を表わす分解斜視図である。
【図５】図５は、該情報端末機を裏返した状態で背面側の構成を表わす分解斜視図である。
【図６】図６は、該情報端末機を裏返した状態で表面側の構成を表わす分解斜視図である。
【図７】図７は、操作ボタンの斜視図である。
【図８】図８は、該操作ボタンを異なる方向から見た斜視図である。
【図９】図９は、防水パッキン部材の斜視図である。
【図１０】図１０は、該防水パッキン部材を異なる方向から見た斜視図である。
【図１１】図１１は、スイッチユニットの斜視図である。
【図１２】図１２は、該スイッチユニットを異なる方向から見た斜視図である。
【図１３】図１３は、組立工程の第１段階を示す斜視図である。
【図１４】図１４は、該第１段階を裏返しの状態で示す斜視図である。
【図１５】図１５は、図１４のＸ−Ｘ線に沿う断面図である。
【図１６】図１６は、図１５のＡ部を拡大した断面図である。
【図１７】図１７は、組立工程の第２段階を示す斜視図である。
【図１８】図１８は、該第２段階を裏返しの状態で示す斜視図である。
【図１９】図１９は、図１８のＸ−Ｘ線に沿う断面図である。
【図２０】図２０は、図１９のＢ部を拡大した断面図である。
【図２１】図２１は、組立工程の第３段階を示す斜視図である。
【図２２】図２２は、該第３段階を裏返しの状態で示す斜視図である。
【図２３】図２３は、図２２のＸ−Ｘ線に沿う断面図である。
【図２４】図２４は、図２３のＣ部を拡大した断面図である。
【図２５】図２５は、組立工程の第４段階を示す斜視図である。
【図２６】図２６は、該第４段階を裏返しの状態で示す斜視図である。
【図２７】図２７は、図２６のＸ−Ｘ線に沿う断面図である。
【図２８】図２８は、図２７のＤ部を拡大した断面図である。
【図２９】図２９は、組立工程の第５段階を示す斜視図である。
【図３０】図３０は、該第５段階を裏返しの状態で示す斜視図である。
【図３１】図３１は、図３０のＸ−Ｘ線に沿う断面図である。
【図３２】図３２は、図３１のＥ部を拡大した断面図である。
【図３３】図３３は、図３２の要部を更に拡大した断面図である。
【発明を実施するための形態】
【０００８】
以下、本発明を情報端末機に実施した形態につき、図面に沿って具体的に説明する。
【０００９】
本発明の一実施形態である情報端末機は、図１及び図２に示す如く、ディスプレイ（１０）や電子回路を内蔵した扁平直方体状の本体（１）を具え、該本体（１）の表面が合成樹脂製の前面側カバーパネル（３）によって覆われると共に、該本体（１）の背面が合成樹脂製の背面側本体シャーシ（４）によって覆われており、表面からはディスプレイ（１０）の画面が露出し、側面には複数の操作ボタン（７）が配備され、背面には蓋体（６）が取り付けられている。
【００１０】
図３及び図４、並びに図５及び図６に示す様に、本体（１）は、前面側本体シャーシ（２）と背面側本体シャーシ（４）とを互いに接合して構成され、両本体シャーシ（２）（４）の間にはＯリング（１１）が介在して、本体（１）の防水が図られている。
【００１１】
前面側カバーパネル（３）は、前面側本体シャーシ（２）に対してフック機構により取り付けられ、背面側本体シャーシ（４）は、背面側カバーパネル（５）に対してフック機構により取り付けられる。
【００１２】
又、背面側本体シャーシ（４）に電池収容室を包囲する周壁（４０）が形成されており、該電池収容室は、蓋体（６）によって液密に塞がれる。
【００１３】
図３及び図６に示す如く、前面側本体シャーシ（２）の側部には複数のスイッチユニット（９）が配備される。スイッチユニット（９）は、図１１及び図１２に示す如く、フレキシブル基板（９１）の表面に１或いは複数のタクトスイッチ（９２）を搭載して構成されている。
【００１４】
又、図３及び図６に示す如く、前面側本体シャーシ（２）の側部には、前記スイッチユニット（９）のタクトスイッチ（９２）を押圧すべき複数の操作ボタン（７）が配備される。操作ボタン（７）は、図７及び図８に示す如く、操作の対象となる頭部（７１）と、該頭部（７１）の背面から突出する押し子（７３）と、該頭部（７１）の外周面から押し子（７３）の突出方向とは直交する方向に拡大するリブ（７２）とを具えている。
【００１５】
操作ボタン（７）のリブ（７２）は、図６に示す如く本体（１）が前記ディスプレイ（１０）を下方に向けた姿勢を基準として、図７及び図８の如く下方へ突出する第１リブ部（７２ａ）と、上方へ突出する第２リブ部（７２ｂ）と、左右へ突出する第３リブ部（７２ｃ）及び第４リブ部（７２ｄ）とから構成されている。
【００１６】
ここで、リブ（７２）の第２リブ部（７２ｂ）、第３リブ部（７２ｃ）及び第４リブ部（７２ｄ）はそれぞれ、最終的に両カバーパネル（３）（５）の間に挟持された状態で確実な保持力が得られることとなる十分な突出量に形成されているのに対し、図３３に示す如く、第１リブ部（７２ａ）の突出量Ｗ１は、第２リブ部（７２ｂ）の突出量Ｗ２よりも小さく設定されている。
【００１７】
図３に示す如く、前面側本体シャーシ（２）の側壁には、各スイッチユニット（９）のタクトスイッチ（９２）へ向けて各操作ボタン（７）の押し子（７３）を貫通させるための貫通孔（２０）が開設されている。
【００１８】
そして、該貫通孔（２０）には、該貫通孔（２０）を封止するためのシリコンゴム製の防水パッキン部材（８）が装着される。防水パッキン部材（８）は、図９及び図１０に示す如く全体が有底袋状に形成され、中央孔を有する平板部（８１）と、該平板部（８１）の中央部から突出する円筒状の周壁部（８２）と、該周壁部（８２）の突出端部を塞ぐ底壁部（８３）とを具えており、周壁部（８２）内に前記操作ボタン（７）の押し子（７３）が収容される。
【００１９】
上記情報端末機においては、図３２及び図３３に示す如く、前面側本体シャーシ（２）の側壁と背面側本体シャーシ（４）の側壁とが互いに対向する対向部には、前面側本体シャーシ（２）側に収容凹部（２１）が凹設されると共に、背面側本体シャーシ（４）側に収容凹部（４１）が凹設されて、両収容凹部（２１）（４１）によってスイッチユニット（９）の収容室が形成されている。
【００２０】
そして、該収容室内のスイッチユニット（９）のタクトスイッチ（９２）の表面には、防水パッキン部材（８）の底壁部（８３）の先端面が圧接されている。この状態で、スイッチユニット（９）は、防水パッキン部材（８）の弾性反発力によって収容凹部（２１）内に拘持されている。
【００２１】
ここで、防水パッキン部材（８）とスイッチユニット（９）の位置関係は、防水パッキン部材（８）が図３３の如く前面側本体シャーシ（２）の貫通孔（２０）に挿入された組立状態で底壁部（８３）がスイッチユニット（９）のタクトスイッチ（９２）の表面に押し付けられて防水パッキン部材（８）に所定の弾性変形量Ｓ（例えば０．０２５ｍｍ〜０．０５ｍｍ）が生じるが、この防水パッキン部材（８）の弾性反発力によってはタクトスイッチ（９２）がオンとはならない様に設計されている。
【００２２】
尚、操作ボタン（７）の押し子（７３）の外周面と防水パッキン部材（８）の内周面との間には僅かな隙間が設けられている。又、操作ボタン（７）の押し子（７３）の先端面と防水パッキン部材（８）の底壁部（８３）との間には、０以上の極僅かな隙間が設けられている。
【００２３】
又、前面側本体シャーシ（２）に前面側カバーパネル（３）が取り付けられると共に、背面側本体シャーシ（４）に背面側カバーパネル（５）が取り付けられることによって、前面側本体シャーシ（２）及び前面側カバーパネル（３）と背面側本体シャーシ（４）及び背面側カバーパネル（５）とが対向する対向部には、前面側本体シャーシ（２）及び前面側カバーパネル（３）に跨る第１溝部（１３）が形成されると共に、背面側本体シャーシ（４）及び背面側カバーパネル（５）に跨る第２溝部（１４）が形成されている。
【００２４】
そして、第１溝部（１３）に操作ボタン（７）の第１リブ部（７２ａ）が差し込まれると共に、第２溝部（１４）に操作ボタン（７）の第２リブ部（７２ｂ）が差し込まれて、両カバーパネル（３）（５）によって操作ボタン（７）が挟持されている。
【００２５】
この状態で、操作ボタン（７）の第２リブ部（７２ｂ）はその十分な突出量で第２溝部（１４）に深く差し込まれているので、操作ボタン（７）が第１溝部（１３）及び第２溝部（１４）から抜け出る虞はない。
【００２６】
上記情報端末機によれば、前面側本体シャーシ（２）と背面側本体シャーシ（４）との間にＯリング（１１）が介在すると共に、前面側本体シャーシ（２）の貫通孔（２０）には防水パッキン部材（８）が装着されて、本体（１）に対して防水が図られる。
【００２７】
操作ボタン（７）を押圧すると、防水パッキン部材（８）が弾性変形することによって、操作ボタン（７）の押し子（７３）がスイッチユニット（９）のタクトスイッチ（９２）を押圧し、該タクトスイッチ（９２）をオンとする。これによって種々の操作信号が生成される。
【００２８】
図１３〜図３２は、上記情報端末機の組立工程を表わしている。
【００２９】
図１３〜図１６に示す如く、組立工程の第１段階では、前面側本体シャーシ（２）と背面側本体シャーシ（４）とが互いに接合されて、ディスプレイ（１０）及び電子回路を内蔵した本体（１）が組み立てられている。
【００３０】
又、図１６に示す如く、前面側本体シャーシ（２）の収容凹部（２１）と背面側本体シャーシ（４）の収容凹部（４１）とによって形成される収容室には、スイッチユニット（９）が収容され、前面側本体シャーシ（２）の貫通孔（２０）には防水パッキン部材（８）が装着されている。
【００３１】
スイッチユニット（９）を前記収容室に収容する際には、先ず、前面側本体シャーシ（２）を収容凹部（２１）が上方へ向く姿勢に保持した状態で、該収容凹部（２１）にスイッチユニット（９）を差し込む。これによって、スイッチユニット（９）は前面側本体シャーシ（２）の収容凹部（２１）内に保持されるので、スイッチユニット（９）を接着テープ等によって固定する必要はない。
【００３２】
その後、前面側本体シャーシ（２）に背面側本体シャーシ（４）を接合して本体（１）を組み立てることにより、背面側本体シャーシ（４）の収容凹部（４１）にスイッチユニット（９）の端部を収容する。
【００３３】
図１７〜図２０に示す如く、組立工程の第２段階では、前面側本体シャーシ（２）に前面側カバーパネル（３）を取り付ける。
【００３４】
これによって、図２０の如く、前面側本体シャーシ（２）の側壁と前面側カバーパネル（３）の側壁との間には、上方へ開口する第１溝部（１３）が形成されることになる。
【００３５】
図２１〜図２４に示す如く、組立工程の第３段階では、前面側本体シャーシ（２）を下側、背面側本体シャーシ（４）を上側に配置した姿勢で、複数の操作ボタン（７）を取り付ける。
【００３６】
ここでは、図２４に示す如く、操作ボタン（７）を僅かに傾斜させた姿勢で、該操作ボタン（７）の押し子（７３）を防水パッキン部材（８）の内部に挿入すると共に、第１リブ部（７２ａ）を第１溝部（１３）に差し込む。尚、第１リブ部（７２ａ）が第２リブ部（７２ｂ）と同じ突出量を有している構成では、操作ボタン（７）をこの様にして取り付けることは困難である。
【００３７】
図２５〜図２８に示す如く、組立工程の第４段階では、操作ボタン（７）の押し子（７３）が防水パッキン部材（８）内を水平に伸びる正規の姿勢に設定する。
【００３８】
この状態で、操作ボタン（７）は、前面側本体シャーシ（２）及び前面側カバーパネル（３）によって保持され、操作ボタン（７）から手を離したとしても脱落する虞はない。
【００３９】
図２９〜図３２に示す如く、組立工程の第５段階では、前面側本体シャーシ（２）を下側、背面側本体シャーシ（４）を上側に配置した姿勢で、背面側本体シャーシ（４）に対して背面側カバーパネル（５）を取り付ける。
【００４０】
これによって、図３２の如く、操作ボタン（７）の第２リブ部（７２ｂ）が第２溝部（１４）内に収容され、前面側カバーパネル（３）と背面側カバーパネル（５）によって操作ボタン（７）が挟持されることになる。
【００４１】
上記情報端末機の組立工程によれば、図２１〜図２４に示す組立工程の第３段階から、図２５〜図２８に示す組立工程の第４段階にて、本体（１）に前面側カバーパネル（３）のみを取り付けた状態で、複数の操作ボタン（７）をそれぞれ第１溝部（１３）に差し込んで取り付けることが出来るので、操作ボタン（７）の組付け作業が極めて容易である。
【００４２】
これに対し、従来は、本体（１）の各防水パッキン部材（８）に操作ボタン（７）の押し子（７３）を挿入した状態で全ての防水パッキン部材（８）を手や治具などで保持し、この状態で本体（１）に対して前面側カバーパネル（３）及び背面側カバーパネル（５）を取り付ける作業が採用されていたため、操作ボタン（７）の組付け作業が困難であった。
【００４３】
情報端末機によれば、上述の如くスイッチユニット（９）と防水パッキン部材（８）の位置関係を僅かに変更すると共に、操作ボタン（７）のリブ（７２）の突出量を僅かに変更するだけの簡易な構成によって、部品点数及び組立工数の削減を図り、更には組立作業の容易化を図ることが出来る。
【００４４】
尚、本発明の各部構成は上記実施の形態に限らず、特許請求の範囲に記載の技術的範囲内で種々の変形が可能である。
【符号の説明】
【００４５】
１  本体
２  前面側本体シャーシ
３  前面側カバーパネル
４  背面側本体シャーシ
５  背面側カバーパネル
７  操作ボタン
８  防水パッキン部材
１０  ディスプレイ
２０  貫通孔
９２  タクトスイッチ
【図１】
2016181525.tif 000003
【図２】
2016181525.tif 000004
【図３】
2016181525.tif 000005
【図４】
2016181525.tif 000006
【図５】
2016181525.tif 000007
【図６】
2016181525.tif 000008
【図７】
2016181525.tif 000009
【図８】
2016181525.tif 000010
【図９】
2016181525.tif 000011
【図１０】
2016181525.tif 000012
【図１１】
2016181525.tif 000013
【図１２】
2016181525.tif 000014
【図１３】
2016181525.tif 000015
【図１４】
2016181525.tif 000016
【図１５】
2016181525.tif 000017
【図１６】
2016181525.tif 000018
【図１７】
2016181525.tif 000019
【図１８】
2016181525.tif 000020
【図１９】
2016181525.tif 000021
【図２０】
2016181525.tif 000022
【図２１】
2016181525.tif 000023
【図２２】
2016181525.tif 000024
【図２３】
2016181525.tif 000025
【図２４】
2016181525.tif 000026
【図２５】
2016181525.tif 000027
【図２６】
2016181525.tif 000028
【図２７】
2016181525.tif 000029
【図２８】
2016181525.tif 000030
【図２９】
2016181525.tif 000031
【図３０】
2016181525.tif 000032
【図３１】
2016181525.tif 000033
【図３２】
2016181525.tif 000034
【図３３】
2016181525.tif 000035